(57)【要約】【課題】本発明は、被写体を用意することなく、任意な立体画像を記録することができるホログラフィック記録装置およびホログラフィック記録方法を提供することを課題とする。【解決手段】ホログラフィック記録装置１は、光を出射するレーザ装置１１、情報光ＩＢ１，ＩＢ２および参照光ＲＢをホログラフィック記録媒体７０中で干渉させる光学系（第１ビームスプリッタ１２等）、および、各情報変換装置１８，１９からのパルス信号に応じて情報光ＩＢ１，ＩＢ２の光路を遮断・開放する各光量調整フィルタ１６，１７を有する光学系ユニット１０と、ホログラフィック記録媒体７０を左右へ移動自在に支持する記録媒体移動装置３０と、光学系ユニット１０を上下方向へ移動させる光学系ユニット移動装置２０とを備える。【選択図】図１
2008170530.tif 000002
【特許請求の範囲】
【請求項１】
ホログラフィック記録媒体に対し、情報光および参照光を照射して干渉縞を形成し、情報を記録するホログラフィック記録装置であって、
光を出射するレーザ装置と、前記レーザ装置から出射される光を前記参照光と２つ以上の前記情報光に分け、これらの光を前記ホログラフィック記録媒体中で干渉させる光学系と、少なくとも前記情報光を明滅させる光情報入力手段とを有する光学系ユニットと、
前記ホログラフィック記録媒体をその表面に沿った一方向へ移動自在に支持する記録媒体移動装置と、
前記光学系ユニットを前記一方向に対して直交する方向へ移動させる光学系ユニット移動装置とを備えたことを特徴とするホログラフィック記録装置。
【請求項２】
前記光学系は、
前記レーザ装置から出射した光を第１情報光と参照光とに分ける第１ビームスプリッタと、
前記第１ビームスプリッタから出てくる前記参照光を第２情報光と参照光とに分ける第２ビームスプリッタと、
前記第１ビームスプリッタで分けられた第１情報光を、前記ホログラフィック記録媒体中において前記参照光と干渉させる第１反射鏡と、
前記第２ビームスプリッタで分けられた第２情報光を、前記第１情報光と前記参照光との干渉部分に照射させる第２反射鏡とを備えていることを特徴とする請求項１に記載のホログラフィック記録装置。
【請求項３】
前記第２ビームスプリッタおよび前記第２反射鏡を複数備えていることを特徴とする請求項２に記載のホログラフィック記録装置。
【請求項４】
前記第１反射鏡および第２反射鏡の角度を変更する角度変更装置を備えたことを特徴とする請求項２または請求項３に記載のホログラフィック記録装置。
【請求項５】
ホログラフィック記録媒体に対し、情報光および参照光を照射して干渉縞を形成し、情報を記録するホログラフィック記録装置であって、
参照光、右目用の情報光および左目用の情報光を照射する少なくとも３つ以上のレーザ装置と、これらの光を前記ホログラフィック記録媒体中で干渉させる光学系と、少なくとも前記情報光を明滅させる光情報入力手段とを有する光学系ユニットと、
前記ホログラフィック記録媒体をその表面に沿った一方向へ移動自在に支持する記録媒体移動装置と、
前記光学系ユニットを前記一方向に対して直交する方向へ移動させる光学系ユニット移動装置とを備えたことを特徴とするホログラフィック記録装置。
【請求項６】
ホログラフィック記録媒体に対して立体映像用の画像を記録するホログラフィック記録方法であって、
前記ホログラフィック記録媒体の所定位置に参照光を照射させるとともに、入射角度の異なる２つ以上の情報光を明滅させつつ、前記ホログラフィック記録媒体を、その表面に沿った二次元平面内において、前記各情報光および参照光に対して相対移動させることで、
前記ホログラフィック記録媒体に前記各情報光の情報を１ビットずつ記録させることを特徴とするホログラフィック記録方法。
【発明の詳細な説明】
【技術分野】
【０００１】
本発明は、ホログラフィを利用してホログラフィック記録媒体へ立体画像を記録するためのホログラフィック記録装置およびホログラフィック記録方法に関する。
【背景技術】
【０００２】
従来、ホログラフィを利用してホログラフィック記録媒体へ立体画像を記録するためのホログラフィック記録装置として、例えば、特許文献１に開示されるような技術が知られている。この特許文献１に記載の技術では、レーザ光源から出たレーザ光を２つに分け、一方を参照光として記録媒体へ照射し、他方を被写体に当ててその反射光を情報光として記録媒体に照射することで、参照光と情報光との干渉縞を立体画像として記録している。そして、この記録媒体に、参照光と同じ波長、同じ角度の読出光を当てることで、干渉縞で反射した光を立体映像として観察者が視認することが可能となっている。
【０００３】
【特許文献１】特開平１０−２２２０４５号公報
【発明の開示】
【発明が解決しようとする課題】
【０００４】
しかしながら、前記した技術では、立体映像にしたいものを被写体として用意しなくてはいけないので、例えばＣＴスキャン立体画像や航空写真などを立体画像として記録することはできなかった。
【０００５】
そこで、本発明は、被写体を用意することなく、任意な立体画像を記録することができるホログラフィック記録装置およびホログラフィック記録方法を提供することを課題とする。
【課題を解決するための手段】
【０００６】
前記課題を解決する本発明は、ホログラフィック記録媒体に対し、情報光および参照光を照射して干渉縞を形成し、情報を記録するホログラフィック記録装置であって、光を出射するレーザ装置と、前記レーザ装置から出射される光を前記参照光と２つ以上の前記情報光に分け、これらの光を前記ホログラフィック記録媒体中で干渉させる光学系と、少なくとも前記情報光を明滅させる光情報入力手段とを有する光学系ユニットと、前記ホログラフィック記録媒体をその表面に沿った一方向へ移動自在に支持する記録媒体移動装置と、前記光学系ユニットを前記一方向に対して直交する方向へ移動させる光学系ユニット移動装置とを備えたことを特徴とする。
【０００７】
本発明によれば、記録媒体移動装置と光学系ユニット移動装置を適宜稼動させつつ、光情報入力手段により例えば右目用・左目用の２つの情報光を適宜明滅させることにより、ホログラフィック記録媒体中に右目用または左目用の干渉縞が形成された部分と形成されていない部分とが二次元的に混在することとなる。そのため、光情報入力手段に、被写体の情報を入力しておくだけで、被写体を用意することなく、任意な立体画像を記録することができる。
【０００８】
また、前記レーザ装置から出射した光を第１情報光と参照光とに分ける第１ビームスプリッタと、前記第１ビームスプリッタから出てくる前記参照光を第２情報光と参照光とに分ける第２ビームスプリッタと、前記第１ビームスプリッタで分けられた第１情報光を、前記ホログラフィック記録媒体中において前記参照光と干渉させる第１反射鏡と、前記第２ビームスプリッタで分けられた第２情報光を、前記第１情報光と前記参照光との干渉部分に照射させる第２反射鏡とを備えているのが望ましい。これによれば、レーザ装置からの光を良好に参照光と２つの情報光に分けることができる。
【０００９】
また、前記第２ビームスプリッタおよび前記第２反射鏡は複数設けるのが望ましい。これによれば、例えば、前記した右目用・左目用のデータを様々な角度から記録することができるので、ホログラフィック記録媒体に記録された二次元の情報を観察者が様々な角度から良好に見ることができる。
【００１０】
また、前記したホログラフィック記録装置においては、前記第１反射鏡および第２反射鏡の角度を変更する角度変更装置を設けてもよい。これによっても、例えば、前記した右目用・左目用のデータを様々な角度から記録することができるので、ホログラフィック記録媒体に記録された二次元の情報を観察者が様々な角度から良好に見ることができる。
【００１１】
また、本発明は、前記したような光学系によって１つの光を参照光等の複数の光に分ける形態に限定されず、例えば参照光等の複数の光に対応した数だけレーザ装置を設けてもよい。
【００１２】
また、本発明は、ホログラフィック記録媒体に対して立体映像用の画像を記録するホログラフィック記録方法であって、前記ホログラフィック記録媒体の所定位置に参照光を照射させるとともに、入射角度の異なる２つ以上の情報光を明滅させつつ、前記ホログラフィック記録媒体を、その表面に沿った二次元平面内において、前記各情報光および参照光に対して相対移動させることで、前記ホログラフィック記録媒体に前記各情報光の情報を１ビットずつ記録させることを特徴とする。
【００１３】
この記録方法によれば、ホログラフィック記録媒体を二次元的に相対移動させつつ、各情報光を適宜明滅させることで、各情報光の情報が１ビットずつホログラフィック記録媒体に記録される。そのため、被写体の情報に基づいて各情報光を明滅させるだけで、被写体を用意することなく、任意な立体画像を記録することができる。
【発明の効果】
【００１４】
本発明によれば、被写体の情報を用意しておくだけで立体画像を記録することができるので、実際に被写体を用意することなく、任意な立体画像を記録することができる。
【発明を実施するための最良の形態】
【００１５】
次に、本発明のホログラフィック記録装置および記録方法について図面を参照しながら説明する。参照する図において、図１は、本発明の一実施形態に係るホログラフィック記録装置の構成を示す図である。
【００１６】
図１（ａ）に示すように、ホログラフィック記録装置１は、ホログラフィック記録媒体７０（以下、単に「記録媒体７０」とする）にホログラフィック記録により情報を記録する装置である。
記録媒体７０は、可とう性を有するフイルム状の部材である。なお、この材料としては、例えば、（１）光照射で重合反応が起こり高分子化するフォトポリマー、（２）フォトリフラクティブ効果（光照射で空間電荷分布が生じて屈折率が変調する）を示すフォトリフラクティブ材料、（３）光照射で分子の異性化が起こり屈折率が変調するフォトクロミック材料、（４）ニオブ酸リチウム、チタン酸バリウム等の無機材料、（５）カルコゲン材料、などを採用できる。そして、この記録媒体７０は、照射されたレーザ光の強度や、干渉縞による光の干渉に応じて、屈折率などの光学特性が変化するようになっている。なお、記録媒体７０の構成は、前記したような特性を有する記録層が設けられていれば、この構成に限られるものではなく、記録層の他に、トラッキングサーボのためのサーボ層や、レーザ光の波長によりレーザ光を選択的に透過・反射させる選択反射層などを任意に設けてもよい。
【００１７】
ホログラフィック記録装置１は、各種光学系部品を収容した光学系ユニット１０と、この光学系ユニット１０を上下に移動させる光学系ユニット移動装置２０と、記録媒体７０を左右方向に移動自在に支持する記録媒体移動装置３０とを備えて構成されている。ここで、本実施形態における上下、左右、前後の方向は、光学系ユニット１０側から記録媒体７０を見たときの方向を基準として説明することとする。
【００１８】
光学系ユニット１０は、レーザ装置１１、第１ビームスプリッタ１２、第２ビームスプリッタ１３、第１反射鏡１４、第２反射鏡１５、第１光量調整フィルタ１６および第２光量調整フィルタ１７を主に備えて構成されている。ここで、第１ビームスプリッタ１２、第２ビームスプリッタ１３、第１反射鏡１４および第２反射鏡１５と、後述する図示せぬコリメートレンズおよび対物レンズが、「光学系」に相当する。
【００１９】
レーザ装置１１は、所定の波長のレーザを出射する装置である。なお、このレーザ装置１１としては、公知のレーザを出射する装置を用いることができ、高記録密度で記録媒体７０に情報を記録するためには、短波長のレーザ、例えば波長４０５ｎｍの青紫色レーザを用いるとよい。
【００２０】
第１ビームスプリッタ１２は、例えば、２つのプリズムを僅かな隙間を介して向かい合わせて構成したものであり、レーザ装置１１からのレーザ光ＬＢの光軸上に配設されている。そして、この第１ビームスプリッタ１２は、レーザ光ＬＢを直進する光（参照光ＲＢ）と、右方向へ直角に反射されて曲げられる第１情報光ＩＢ１とに分けている。なお、この第１ビームスプリッタ１２とレーザ装置１１との間には、レーザ光ＬＢを平行光に収束するための公知のコリメートレンズ（図示略）が配設されている。また、本実施形態においては、第１情報光ＩＢ１を、観察者の右目で視認するための右目用の情報光とする。
【００２１】
第２ビームスプリッタ１３は、第１ビームスプリッタ１２と同様の部品であり、レーザ装置１１からのレーザ光ＬＢの光軸上であって、第１ビームスプリッタ１２の前方に配設されている。そして、この第２ビームスプリッタ１３は、第１ビームスプリッタ１２とは違う向きで配設されることで、第１ビームスプリッタ１２から出てくる光を、直進する参照光ＲＢと、左方向へ直角に反射されて曲げられる第２情報光ＩＢ２とに分けている。なお、この第２ビームスプリッタ１３から出て行く参照光ＲＢは、記録媒体７０に対して略垂直に入射される。また、本実施形態においては、第２情報光ＩＢ２を、観察者の左目で視認するための左目用の情報光とする。
【００２２】
第１反射鏡１４は、所定の反射率で形成されるミラー部材であり、第１ビームスプリッタ１２で反射される第１情報光ＩＢ１の光軸上に所定の向きで配設されている。そして、この第１反射鏡１４は、第１ビームスプリッタ１２で反射された第１情報光ＩＢ１を、記録媒体７０中において参照光ＲＢと干渉させる位置へ反射させている。
【００２３】
第２反射鏡１５は、第１反射鏡１４と同様の部品であり、第２ビームスプリッタ１３で反射される第２情報光ＩＢ２の光軸上に所定の向きで配設されている。そして、この第２反射鏡１５は、第２ビームスプリッタ１３で反射された第２情報光ＩＢ２を、記録媒体７０中における第１情報光ＩＢ１と参照光ＲＢとの干渉部分へ反射させている。
【００２４】
第１光量調整フィルタ１６は、所定の電圧を印加することで、透過率を高速に可変させるフィルタであり、第１情報光ＩＢ１の光路上、詳しくは、第１ビームスプリッタ１２と第１反射鏡１４との間に配設されている。そして、この第１光量調整フィルタ１６には、右目用の画像情報をパルス信号に変換する第１情報変換装置１８が接続されており、この第１情報変換装置１８からのパルス信号に基づいて第１光量調整フィルタ１６の透過率が変化することで、第１情報光ＩＢ１の光路が遮断・開放されるようになっている。すなわち、この第１光量調整フィルタ１６によって第１情報光ＩＢ１の光路が遮断・開放されることで、記録媒体７０に右目用の干渉縞が形成される部分と形成されていない部分とが混在することとなり、この右目用の干渉縞の有無により、０、１の情報が１ビットずつ記録される。なお、この第１光量調整フィルタ１６としては、例えば、液晶フィルタ、ＡＯ変調器、ＥＯ変調器を利用することができる。また、第１情報変換装置１８から出力するパルス信号の間隔は、例えば図示せぬ入力装置を適宜操作することによって、適宜変更可能となっている。
【００２５】
第２光量調整フィルタ１７は、第１光量調整フィルタ１６と同様のフィルタであり、第２情報光ＩＢ２の光路上、詳しくは、第２ビームスプリッタ１３と第２反射鏡１５との間に配設されている。そして、この第２光量調整フィルタ１７には、左目用の画像情報をパルス信号に変換する第２情報変換装置１９が接続されており、この第２情報変換装置１９からのパルス信号に基づいて第２光量調整フィルタ１７の透過率が変化することで、第２情報光ＩＢ２の光路が遮断・開放されるようになっている。すなわち、この第２光量調整フィルタ１７によって第２情報光ＩＢ２の光路が遮断・開放されることで、記録媒体７０に左目用の干渉縞が形成される部分と形成されていない部分とが混在することとなり、この左目用の干渉縞の有無により、０、１の情報が１ビットずつ記録される。なお、第２情報変換装置１９から出力するパルス信号の間隔は、例えば図示せぬ入力装置を適宜操作することによって、適宜変更可能となっている。
【００２６】
なお、前記した第２ビームスプリッタ１３、第１反射鏡１４および第２反射鏡１５と、記録媒体７０との間には、参照光ＲＢ、第１情報光ＩＢ１および第２情報光ＩＢ２の焦点位置を調整するための公知の対物レンズ（図示略）が設けられている。そして、これらの対物レンズは、それぞれ図示せぬ移動装置や制御装置により光軸方向に移動自在となっている。
【００２７】
光学系ユニット移動装置２０は、記録媒体移動装置３０による記録媒体７０の移動に対応するように、光学系ユニット１０を上下に移動させる装置である。具体的に、この光学系ユニット移動装置２０は、記録媒体７０に対する左右方向の１ラインのデータ記録が完了するたびに、順次初期位置から上または下へ所定距離ずつ移動するように構成されている。すなわち、図に示すように、初期位置が上である場合には、順次下へ移動するように構成されている。なお、光学系ユニット１０を移動させる距離は、例えば図示せぬ入力装置を適宜操作することによって、適宜変更可能となっている。
【００２８】
記録媒体移動装置３０は、記録媒体７０を支持するベルトコンベアを備えた装置であり、記録媒体７０を所定の速度で左右に往復動させるように構成されている。具体的に、この記録媒体移動装置３０は、記録媒体７０に記録する左右方向の１ライン分のデータの長さだけ左（または右）に記録媒体７０を移動させたときに、ベルトコンベアの駆動方向を切り替えて、今度は右（または左）に記録媒体７０を移動させるようになっている。なお、記録媒体７０を移動させる速度は、例えば図示せぬ入力装置を適宜操作することによって、適宜変更可能となっている。
【００２９】
なお、本実施形態では、記録媒体７０を左右に往復動させるようにしたが、本発明はこれに限定されず、記録媒体７０を左右方向の一方向に一定の速度で移動させるようにしてもよい。この場合には、光学系ユニット移動装置２０による上下動を、ベルトコンベアが一周するたびに行わせるように制御すればよい。
【００３０】
次に、本実施形態に係るホログラフィック記録装置１による記録媒体７０への記録方法について説明する。ここで、記録媒体７０への記録は、図示するように、記録媒体７０の左上から行うこととする。
【００３１】
まず、レーザ装置１１を発光させるとともに、各情報変換装置１８，１９から各光量調整フィルタ１６，１７に右目用・左目用のパルス信号をそれぞれ出力させる。また、この際、記録媒体移動装置３０による記録媒体７０の左方向への移動も開始させる。これにより、光学系ユニット１０から出射される第１情報光ＩＢ１および第２情報光ＩＢ２が適宜明滅して、記録媒体７０の上部に右目用または左目用の干渉縞が１ビットのデータとして適宜ライン状に記録されていく。
【００３２】
なお、１回の記録において、第１情報光ＩＢ１と第２情報光ＩＢ２とがともに記録媒体７０の同じ場所に照射された場合であっても、第１情報光ＩＢ１と第２情報光ＩＢ２が互いに入射角度が異なるため、第１情報光ＩＢ１および第２情報光ＩＢ２による干渉縞は同じ場所に多重に記録される。
【００３３】
そして、記録媒体７０の右端（詳しくは、右側の所定位置）までビット記録が完了すると、光学系ユニット移動装置２０によって光学系ユニット１０が下側に所定距離だけ移動されるとともに、記録媒体移動装置３０によって記録媒体７０の移動方向が左から右へ切り替えられる。これにより、記録媒体７０の前回記録したライン状のデータの下側に、前記と同様に、各干渉縞が１ビットのデータとして適宜ライン状に記録されていく。そして、このように記録媒体７０の上側から順にライン状のデータが記録されていくことで、記録媒体７０に二次元的な画像データが記録されることとなる。
【００３４】
また、画像データの解像度を変えたい場合には、各情報変換装置１８，１９から出力するパルス信号の間隔や、光学系ユニット移動装置２０による光学系ユニット１０の移動距離や、記録媒体移動装置３０による記録媒体７０の移動速度を変更させる。これにより、記録ビットとしての干渉縞の間隔を自由に変更することができる。
【００３５】
さらに、記録ビット（記録スポット）の大きさを変えたい場合には、参照光ＲＢ、第１情報光ＩＢ１および第２情報光ＩＢ２の焦点位置を調整するための対物レンズの位置を適宜変更させる。これにより、記録ビットの大きさを自由に変更することができる。
【００３６】
そして、以上のようにして立体画像が記録された記録媒体７０に、参照光ＲＢと同じ角度、同じ波長で読出光を表側から当てると、記録媒体７０の裏側から各情報光ＩＢ１，ＩＢ２に相当する光が出射され、観察者がこれらの光を両目で見ることで立体映像を視認することが可能となっている。
【００３７】
以上によれば、本実施形態において以下のような効果を得ることができる。
記録媒体７０を適宜移動させつつ、右目用・左目用の各情報光ＩＢ１，ＩＢ２を適宜明滅させるだけで、立体映像用の二次元的な画像データを記録することができるので、各情報変換装置１８，１９に、被写体の情報を入力しておくだけで、被写体を用意することなく、任意な立体画像を記録することができる。
【００３８】
また、記録媒体移動装置３０や、光学系ユニット移動装置２０や、対物レンズの設定の変更を行うだけで、記録ドットの間隔や大きさ（解像度）の変更を容易に行うことができる。
【００３９】
なお、本発明は前記実施形態に限定されることなく、以下に例示するように様々な形態で利用できる。
前記実施形態では、第２ビームスプリッタ１３および第２反射鏡１５を一対だけ設けたが、本発明はこれに限定されず、このようなビームスプリッタおよび反射鏡の組を複数組設けてもよい。これによれば、記録媒体７０の所定位置に３つ以上の情報を様々な角度から多重に記録することができるので、例えば、前記した一組の右目用・左目用のデータを様々な角度から複数組記録することができる。そして、これにより、記録媒体７０に記録された二次元の情報を観察者が様々な角度から良好に見ることができる。
【００４０】
また、前記したように第２ビームスプリッタ１３および第２反射鏡１５を複数設ける代わりに、第１反射鏡１４および第２反射鏡１５の角度を変更するように回動させる角度変更装置を設けてもよい。これによっても、例えば、前記した右目用・左目用のデータを様々な角度から記録することができるので、ホログラフィック記録媒体に記録された二次元の情報を観察者が様々な角度から良好に見ることができる。なお、この場合は、第１反射鏡１４および第２反射鏡１５で反射された光の光路上にある部品（例えば、対物レンズ）なども、角度変更装置によって第１反射鏡１４および第２反射鏡１５の回動軸周りでこれらと一緒に回動させる必要がある。
【００４１】
前記実施形態では、レーザ装置１１を１つだけ設け、このレーザ装置１１からの光を第１ビームスプリッタ１２等の光学系によって複数の光に分けたが、本発明はこれに限定されるものではない。例えば、光を分けるビームスプリッタを設ける代わりに、参照光ＲＢ等の複数の光に対応した数だけレーザ装置を設けてもよい。
【００４２】
前記実施形態では、光情報入力手段として、各光量調整フィルタ１６，１７と、これらにパルス信号を出力する２つの情報変換装置１８，１９を採用したが、本発明はこれに限定されるものではない。例えば、前記したようにレーザ装置を複数設ける場合には、各レーザ装置に対してパルス信号を出力する複数の情報変換装置を、光情報入力手段として採用してもよい。この場合であっても、各レーザ装置が情報変換装置からのパルス信号によってＯＮ・ＯＦＦされて各レーザ装置からの光が明滅するので、干渉縞を１ビットずつ記録することができる。また、例えば、前記実施形態における各光量調整フィルタ１６，１７の代わりに、各情報光ＩＢ１，ＩＢ２の光路を遮断・開放する機構を設けてもよい。
【図面の簡単な説明】
【００４３】
【図１】本発明の一実施形態に係るホログラフィック記録装置の構成を示す図である。
【符号の説明】
【００４４】
１      ホログラフィック記録装置
１０    光学系ユニット
１１    レーザ装置
１２    第１ビームスプリッタ（光学系）
１３    第２ビームスプリッタ（光学系）
１４    第１反射鏡（光学系）
１５    第２反射鏡（光学系）
２０    光学系ユニット移動装置
３０    記録媒体移動装置
７０    ホログラフィック記録媒体
ＩＢ１  第１情報光
ＩＢ２  第２情報光
ＬＢ    レーザ光
ＲＢ    参照光
【図１】
2008170530.tif 000003